(57)【要約】【課題】画像データ及び無線タグデータを受信し、受信した無線タグデータを無線タグに書込可能な通信装置に関し、特に、受信側の利便性を向上させ得る通信装置を提供する。【解決手段】ファクシミリ装置１は、「無線タグ節約モード」の「有効」「無効」を設定可能である（Ｓ５）。そして、ファクシミリ装置１は、「無線タグ節約モード」を「有効」に設定すると（Ｓ３１：ＹＥＳ）、「相手先確認モード」が有効であり（Ｓ３３：ＹＥＳ）、当該送信元装置６０に対して「受信許可」が設定されている場合（Ｓ３５：ＹＥＳ）を除き、受信時に無線タグデータを無線タグ７２に書き込むことはない。【選択図】図６
2008252412.tif 000002
【特許請求の範囲】
【請求項１】
回線を介して送信される原稿の画像データを受信する画像データ受信手段と、
回線を介して送信される無線タグデータを受信する無線タグデータ受信手段と、
前記無線タグデータ受信手段により受信した無線タグデータを、無線タグに対して書き込む無線タグデータ書込手段と、
前記無線タグに対する無線タグデータの書込を禁止する書込禁止設定の有効、無効を設定する設定手段と、を備えることを特徴とする通信装置。
【請求項２】
請求項１記載の通信装置において、
表示手段を備え、
前記設定手段は、
書込禁止設定が有効に設定されている場合に、前記無線タグデータの受信に伴い、当該無線タグデータの内容を、前記表示手段に表示する第１詳細設定を設定可能とすることを特徴とする通信装置。
【請求項３】
請求項２記載の通信装置において、
前記設定手段は、
書込禁止設定が有効に設定されている場合に、前記無線タグデータ受信手段の有無を確認する受信機能確認信号を、前記データの送信先から受信すると、前記無線タグデータ受信手段を有する場合であっても、前記無線タグデータ受信手段が存在しないことを示す受信機能不存在信号を当該送信先に送信する第２詳細設定を設定可能とすることを特徴とする通信装置。
【請求項４】
請求項３記載の通信装置において、
前記設定手段は、
前記書込禁止設定を有効とすることに関連付けて、
前記第１詳細設定及び前記第２詳細設定を含む複数の詳細設定から、所望の詳細設定を設定可能とすることを特徴とする通信装置。
【請求項５】
請求項２乃至請求項４記載の通信装置において、
前記画像データ受信手段により受信された原稿の画像データと共に、前記無線タグデータ受信手段により、当該画像データに対応する無線タグデータを受信し、
前記設定手段により、前記書込禁止設定が有効に設定され、且つ、第１詳細設定が設定されている場合に、
前記無線タグデータ受信手段で受信した無線タグデータの内容と共に、前記画像データ受信手段により受信した原稿の画像データを前記表示手段に表示する表示制御手段と、を備えることを特徴とする通信装置。
【請求項６】
請求項５記載の通信装置において、
前記画像データ受信手段により受信した原稿の画像データに対する所定位置に、前記無線タグデータの内容を示す無線タグ内容データを配置した合成画像データを生成する合成画像データ生成手段と、を備えることを特徴とする通信装置。
【請求項７】
請求項６記載の通信装置において、
前記表示制御手段は、
前記合成画像データ生成手段により合成画像データが生成された場合に、
生成された合成画像データを、前記表示手段に表示することを特徴とする通信装置。
【請求項８】
請求項５乃至請求項７記載の通信装置において、
前記表示制御手段により、前記画像データ及び無線タグデータを表示手段に表示した後、
前記画像データを記録可能な記録手段により、前記画像データのみを記録する第１出力態様と、
前記記録手段により、前記画像データと前記無線タグデータの内容を合成した合成画像データを記録する第２出力態様と、
前記記録手段により、前記画像データを記録すると共に、無線タグデータ書込手段により、当該無線タグデータを、無線タグに対して書き込む第３出力態様と、
を選択可能な出力態様選択手段と、を備えることを特徴とする通信装置。
【請求項９】
請求項１記載の通信装置において、
前記設定手段は、
書込禁止設定が有効に設定されている場合に、前記無線タグデータ受信手段の有無を確認する受信機能確認信号を、前記データの送信先から受信すると、前記無線タグデータ受信手段を有する場合であっても、前記無線タグデータ受信手段が存在しないことを示す受信機能不存在信号を当該送信先に送信する第２詳細設定を設定可能とすることを特徴とする通信装置。
【請求項１０】
請求項９記載の通信装置において、
回線を介して、データを受信する際に、その送信元を識別可能な識別データを取得する識別データ取得手段と、
前記識別データを各識別データ単位で記憶する識別データ記憶手段と、
前記識別データ記憶手段に記憶されている識別データ単位で、前記第２詳細設定の有効、無効を示す応答内容変更データを設定し得る個別設定手段と、
前記設定手段により、前記書込禁止設定が有効であり、前記第２詳細設定が設定されている場合に、送信元からのデータ受信に際し、前記識別データ取得手段により取得された識別データと、前記識別データ記憶手段における当該識別データに係る応答内容変更データと、に基づいて、前記受信機能不存在信号の送信の有無を決定する応答内容変更手段と、を備えることを特徴とする通信装置。
【請求項１１】
請求項１記載の通信装置において、
前記書込禁止設定の有効、無効を判断する設定状態判定手段と、
回線を介して送信されたデータを格納する記憶手段と、
前記無線タグデータ受信手段により無線タグデータを受信すると共に、前記設定状態判定手段により前記書込禁止設定が有効に設定されていると判断された場合に、前記記憶手段に、回線を介して受信したデータを格納し、その格納したデータに係る記憶内容を保持するように制御する制御手段と、を備えることを特徴とする通信装置。
【請求項１２】
回線を介して送信される原稿の画像データを受信する画像データ受信手段と、
回線を介して送信される無線タグデータを受信する無線タグデータ受信手段と、
前記無線タグデータ受信手段により受信した無線タグデータを、無線タグに対して書き込む無線タグデータ書込手段と、
表示手段と、
前記無線タグデータの受信に伴い、当該無線タグデータの内容を、前記表示手段に表示する第１詳細設定を設定可能とする表示設定手段と、を備えることを特徴とする通信装置。
【請求項１３】
請求項１２記載の通信装置において、
前記画像データ受信手段により受信された原稿の画像データと共に、前記無線タグデータ受信手段により、当該画像データに対応する無線タグデータを受信し、
前記表示設定手段により、第１詳細設定が設定されている場合に、
前記無線タグデータ受信手段で受信した無線タグデータの内容と共に、前記画像データ受信手段により受信した原稿の画像データを前記表示手段に表示する表示制御手段と、を備えることを特徴とする通信装置。
【請求項１４】
請求項１３記載の通信装置において、
前記画像データ受信手段により受信した原稿の画像データに対する所定位置に、前記無線タグデータの内容を示す無線タグ内容データを配置した合成画像データを生成する合成画像データ生成手段と、を備えることを特徴とする通信装置。
【請求項１５】
請求項１４記載の通信装置において、
前記表示制御手段は、
前記合成画像データ生成手段により合成画像データが生成された場合に、
生成された合成画像データを、前記表示手段に表示することを特徴とする通信装置。
【請求項１６】
請求項１３乃至請求項１５記載の通信装置において、
前記表示制御手段により、前記画像データ及び無線タグデータを表示手段に表示した後、
前記画像データを記録可能な記録手段により、前記画像データのみを記録する第１出力態様と、
前記記録手段により、前記画像データと前記無線タグデータの内容を合成した合成画像データを記録する第２出力態様と、
前記記録手段により、前記画像データを記録すると共に、無線タグデータ書込手段により、当該無線タグデータを、無線タグに対して書き込む第３出力態様と、
を選択可能な出力態様選択手段と、を備えることを特徴とする通信装置。
【発明の詳細な説明】
【技術分野】
【０００１】
本発明は、画像データ及び無線タグデータを受信可能な通信装置に関し、特に、受信した無線タグデータを無線タグに書込可能な通信装置に関する。
【背景技術】
【０００２】
近年、無線タグを利用した通信装置が種々開発されている。ここで、無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称される記録媒体である。
【０００３】
例えば、特許文献１には、無線タグに記憶されたデータを用いた複合通信端末装置に関する技術が記載されている。この特許文献１記載の複合通信端末装置では、無線タグリーダにより、ファクシミリ送信の相手先を特定しうる情報（例えば、電話番号やファックス番号）が格納された無線タグから、当該情報の読み取りを行う。そして、当該複合通信端末装置は、読み取った情報に基づいて、相手先に対して、送信原稿に係る画像データをファクシミリ送信する。
【特許文献１】特開平０８−２６５５５２号公報
【０００４】
従って、特許文献１記載の複合通信端末装置によれば、送信元のユーザが自ら相手先の情報を入力する作業をおこなうことなく、無線タグリーダにより、当該無線タグの無線タグデータの読取作業を行うだけで、所望の相手先に対してファクシミリ送信を行うことができる。即ち、特許文献１記載の複合通信端末装置は、ファクシミリ通信における送信側の利便性を向上させることができる。
【発明の開示】
【発明が解決しようとする課題】
【０００５】
しかしながら、特許文献１記載の複合通信端末装置では、ファクシミリ通信の送信側における利便性を向上させているが、通信の相手先である受信側の利便性に関しては何等考慮されていない。即ち、特許文献１記載の複合通信端末装置では、ファクシミリ通信の受信側における利便性を向上させる点に関して、無線タグ及び無線タグデータを十分に有効活用できていなかった。
【０００６】
本発明は、前記従来における問題点を解消するためになされたものであり、画像データ及び無線タグデータを受信し、受信した無線タグデータを無線タグに書込可能な通信装置に関し、特に、受信側の利便性を向上させ得る通信装置を提供することを目的とする。
【課題を解決するための手段】
【０００７】
前記課題を解決するために成された請求項１に係る通信装置は、回線を介して送信される原稿の画像データを受信する画像データ受信手段と、回線を介して送信される無線タグデータを受信する無線タグデータ受信手段と、前記無線タグデータ受信手段により受信した無線タグデータを、無線タグに対して書き込む無線タグデータ書込手段と、前記無線タグに対する無線タグデータの書込を禁止する書込禁止設定の有効、無効を設定する設定手段と、を備えることを特徴とする。
【０００８】
ここでいう「原稿に付加された無線タグ」とは、原稿に貼付された無線タグだけではなく、例えば、原稿に埋め込まれた無線タグも含む。
【０００９】
そして、請求項２記載の通信装置は、請求項１記載の通信装置において、表示手段を備え、前記設定手段は、書込禁止設定が有効に設定されている場合に、前記無線タグデータの受信に伴い、当該無線タグデータの内容を、前記表示手段に表示する第１詳細設定を設定可能とすることを特徴とする。
【００１０】
又、請求項３記載の通信装置は、請求項２記載の通信装置において、前記設定手段は、書込禁止設定が有効に設定されている場合に、前記無線タグデータ受信手段の有無を確認する受信機能確認信号を、前記データの送信先から受信すると、前記無線タグデータ受信手段を有する場合であっても、前記無線タグデータ受信手段が存在しないことを示す受信機能不存在信号を当該送信先に送信する第２詳細設定を設定可能とすることを特徴とする。
【００１１】
そして、請求項４記載の通信装置は、請求項３記載の通信装置において、前記設定手段は、前記書込禁止設定を有効とすることに関連付けて、前記第１詳細設定及び前記第２詳細設定を含む複数の詳細設定から、所望の詳細設定を設定可能とすることを特徴とする。
【００１２】
又、請求項５記載の通信装置は、請求項２乃至請求項４記載の通信装置において、前記画像データ受信手段により受信された原稿の画像データと共に、前記無線タグデータ受信手段により、当該画像データに対応する無線タグデータを受信し、前記設定手段により、前記書込禁止設定が有効に設定され、且つ、第１詳細設定が設定されている場合に、前記無線タグデータ受信手段で受信した無線タグデータの内容と共に、前記画像データ受信手段により受信した原稿の画像データを前記表示手段に表示する表示制御手段と、を備えることを特徴とする。
【００１３】
そして、請求項６記載の通信装置は、請求項５記載の通信装置において、前記画像データ受信手段により受信した原稿の画像データに対する所定位置に、前記無線タグデータの内容を示す無線タグ内容データを配置した合成画像データを生成する合成画像データ生成手段と、を備えることを特徴とする。
【００１４】
又、請求項７記載の通信装置は、請求項６記載の通信装置において、前記表示制御手段は、前記合成画像データ生成手段により合成画像データが生成された場合に、生成された合成画像データを、前記表示手段に表示することを特徴とする。
【００１５】
そして、請求項８記載の通信装置は、請求項５乃至請求項７記載の通信装置において、前記表示制御手段により、前記画像データ及び無線タグデータを表示手段に表示した後、前記画像データを記録可能な記録手段により、前記画像データのみを記録する第１出力態様と、前記記録手段により、前記画像データと前記無線タグデータの内容を合成した合成画像データを記録する第２出力態様と、前記記録手段により、前記画像データを記録すると共に、無線タグデータ書込手段により、当該無線タグデータを、無線タグに対して書き込む第３出力態様と、を選択可能な出力態様選択手段と、を備えることを特徴とする。
【００１６】
又、請求項９記載の通信装置は、請求項１記載の通信装置において、前記設定手段は、書込禁止設定が有効に設定されている場合に、前記無線タグデータ受信手段の有無を確認する受信機能確認信号を、前記データの送信先から受信すると、前記無線タグデータ受信手段を有する場合であっても、前記無線タグデータ受信手段が存在しないことを示す受信機能不存在信号を当該送信先に送信する第２詳細設定を設定可能とすることを特徴とする。
【００１７】
そして、請求項１０記載の通信装置は、請求項９記載の通信装置において、回線を介して、データを受信する際に、その送信元を識別可能な識別データを取得する識別データ取得手段と、前記識別データを各識別データ単位で記憶する識別データ記憶手段と、前記識別データ記憶手段に記憶されている識別データ単位で、前記第２詳細設定の有効、無効を示す応答内容変更データを設定し得る個別設定手段と、前記設定手段により、前記書込禁止設定が有効であり、前記第２詳細設定が設定されている場合に、送信元からのデータ受信に際し、前記識別データ取得手段により取得された識別データと、前記識別データ記憶手段における当該識別データに係る応答内容変更データと、に基づいて、前記受信機能不存在信号の送信の有無を決定する応答内容変更手段と、を備えることを特徴とする。
【００１８】
又、請求項１１記載の通信装置は、請求項１記載の通信装置において、前記書込禁止設定の有効、無効を判断する設定状態判定手段と、回線を介して送信されたデータを格納する記憶手段と、前記無線タグデータ受信手段により無線タグデータを受信すると共に、前記設定状態判定手段により前記書込禁止設定が有効に設定されていると判断された場合に、前記記憶手段に、回線を介して受信したデータを格納し、その格納したデータに係る記憶内容を保持するように制御する制御手段と、を備えることを特徴とする。
【００１９】
そして、請求項１２記載の通信装置は、回線を介して送信される原稿の画像データを受信する画像データ受信手段と、回線を介して送信される無線タグデータを受信する無線タグデータ受信手段と、前記無線タグデータ受信手段により受信した無線タグデータを、無線タグに対して書き込む無線タグデータ書込手段と、表示手段と、前記無線タグデータの受信に伴い、当該無線タグデータの内容を、前記表示手段に表示する第１詳細設定を設定可能とする表示設定手段と、を備えることを特徴とする。
【００２０】
又、請求項１３記載の通信装置は、請求項１２記載の通信装置において、前記画像データ受信手段により受信された原稿の画像データと共に、前記無線タグデータ受信手段により、当該画像データに対応する無線タグデータを受信し、前記表示設定手段により、第１詳細設定が設定されている場合に、前記無線タグデータ受信手段で受信した無線タグデータの内容と共に、前記画像データ受信手段により受信した原稿の画像データを前記表示手段に表示する表示制御手段と、を備えることを特徴とする。
【００２１】
そして、請求項１４記載の通信装置は、請求項１３記載の通信装置において、前記画像データ受信手段により受信した原稿の画像データに対する所定位置に、前記無線タグデータの内容を示す無線タグ内容データを配置した合成画像データを生成する合成画像データ生成手段と、を備えることを特徴とする。
【００２２】
又、請求項１５記載の通信装置は、請求項１４記載の通信装置において、前記表示制御手段は、前記合成画像データ生成手段により合成画像データが生成された場合に、生成された合成画像データを、前記表示手段に表示することを特徴とする。
【００２３】
そして、請求項１６記載の通信装置は、請求項１３乃至請求項１５記載の通信装置において、前記表示制御手段により、前記画像データ及び無線タグデータを表示手段に表示した後、前記画像データを記録可能な記録手段により、前記画像データのみを記録する第１出力態様と、前記記録手段により、前記画像データと前記無線タグデータの内容を合成した合成画像データを記録する第２出力態様と、前記記録手段により、前記画像データを記録すると共に、無線タグデータ書込手段により、当該無線タグデータを、無線タグに対して書き込む第３出力態様と、を選択可能な出力態様選択手段と、を備えることを特徴とする。
【発明の効果】
【００２４】
請求項１記載の通信装置によれば、画像データ受信手段、無線タグデータ受信手段により、回線を介して受信した画像データ、無線タグデータを受信可能である。そして、当該通信装置は、無線タグデータ書込手段により、当該無線タグデータを無線タグに書き込むことができ、設定手段により、書込禁止設定の有効、無効を設定できる。これにより、当該通信装置は、必要以上に無線タグに無線タグデータを書き込むことはなく、比較的高価な記憶媒体である無線タグの浪費を防止することができる。
【００２５】
請求項２記載の通信装置によれば、設定手段により書込禁止設定が有効に設定され、且つ、第１詳細設定が設定されている場合、無線タグデータを受信すると、当該無線タグデータの内容を表示手段に表示することができる。つまり、当該通信装置は、受信側ユーザに無線タグデータの内容を把握させることができる。これにより、受信側ユーザは、無線タグデータの内容を吟味した上で、無線タグへの書込の可否を決定することができ、適切な対応を図ることができる。
【００２６】
請求項３記載の通信装置によれば、設定手段により書込禁止設定が有効に設定され、且つ、第２詳細設定が設定されている場合、送信先から受信機能確認信号をすると、無線タグデータ受信手段を有する場合であっても、受信機能不存在信号を当該送信先に送信することができる。これにより、データの送信先においては、当該通信装置は前記無線タグデータ受信手段を有さないものと把握し、この条件を前提にデータの送信を行う。つまり、送信先が無線タグデータを送信することがなくなるので、当該通信装置は、無線タグへのデータの書込を行うことはなく、もって、無線タグの浪費を防止できる。
【００２７】
請求項４記載の通信装置によれば、設定手段により、書込禁止設定を有効に設定する際に、第１詳細設定、第２詳細設定を含む複数の詳細設定から、所望の詳細設定を設定することができる。即ち、当該通信装置は、無線タグデータの取扱方式をユーザ所望の方式に設定することができる。これにより、当該通信装置は、無線タグデータの取扱に対するユーザの使用形態に順応でき、利便性を向上しうる。
【００２８】
請求項５記載の通信装置によれば、書込禁止設定が有効に設定され、且つ、第１詳細設定が設定されている場合に、原稿の画像データと画像データに対応する無線タグデータを受信すると、表示制御手段により、原稿の画像データと無線タグデータの内容を、表示手段に表示することができる。つまり、ユーザは、当該画像データと当該無線タグデータの対応関係を明確に把握できる。これにより、当該通信装置は、画像データの出力の可否と、無線タグデータの出力の可否を総合的に判断する機会をユーザに提供しうる。
【００２９】
請求項６記載の通信装置によれば、合成画像データ生成手段により、原稿の画像データに対する所定位置に、無線タグ内容データを配置した合成画像データを生成することができる。即ち、当該通信装置によれば、無線タグデータを無線タグに書き込まずに、合成画像データの一部をなす無線タグ内容データとする。これにより、無線タグデータの内容についても、原稿の画像データと同様に扱うことができ、通常の記録紙に印刷して、その内容を確認したり、管理したりすることができる。その結果、無線タグの消費を低減できる。
【００３０】
請求項７記載の通信装置によれば、合成画像データが生成された場合、表示制御手段により、当該合成画像データが表示手段に表示される。即ち、当該通信装置によれば、表示手段による合成画像データの表示を確認することができるので、ユーザは、より適切に合成画像データとしての出力の要否を判断しうる。
【００３１】
請求項８記載の通信装置によれば、表示制御手段により、画像データ及び無線タグデータを表示手段に表示した後、出力態様選択手段によって、送信元から受信したデータの出力態様を第１出力態様、第２出力態様、第３出力態様から選択することができる。これにより、当該通信装置は、ユーザに無線タグデータの内容を確認する機会を与えると共に、ユーザ所望の出力態様に基づくデータ出力を可能とする。
【００３２】
請求項９記載の通信装置によれば、設定手段により書込禁止設定が有効に設定され、且つ、第２詳細設定が設定されている場合、送信先から受信機能確認信号をすると、無線タグデータ受信手段を有する場合であっても、受信機能不存在信号を当該送信先に送信する。これにより、データの送信先は、「無線タグデータ受信手段を有さない」という条件で、当該通信装置に対するデータの送信を行う。つまり、送信先が無線タグデータを送信することがなくなるので、当該通信装置は、無線タグへのデータの書込を行うことはなく、もって、無線タグの浪費を防止できる。
【００３３】
請求項１０記載の通信装置によれば、設定手段により、書込禁止設定が有効であり、前記第２詳細設定が設定されている場合に、送信元からのデータ受信に際し、識別データ取得手段により取得された識別データと、識別データ記憶手段における当該識別データに係る応答内容変更データと、に基づいて、受信機能不存在信号の送信の有無を決定することができる。即ち、当該通信装置は、識別データ単位で受信機能不存在信号の送信の有無を決定できるので、送信元毎に「無線タグデータの受信の可否」を決定可能である。これにより、ユーザは、無線タグデータの受信について、送信元に応じた柔軟な受信態様を設定しうる。
【００３４】
請求項１１記載の通信装置によれば、無線タグデータの受信時に、設定状態判定手段により前記書込禁止設定が有効に設定されていると判断された場合、制御手段により、回線を介して受信したデータを記憶手段に格納し、その格納したデータに係る記憶内容を保持するように制御することができる。これにより、受信したデータの記憶内容が記憶手段に保持されるので、ユーザは、無線タグデータの取扱いを後に判断することができ、無線タグデータの出力の要否を十分に検討することができる。
【００３５】
請求項１２記載の通信装置によれば、画像データ受信手段、無線タグデータ受信手段により、回線を介して受信した画像データ、無線タグデータを受信可能である。そして、当該通信装置は、無線タグデータ書込手段により、当該無線タグデータを無線タグに書き込むことができる。ここで、第１詳細設定が設定されている場合、無線タグデータを受信すると、当該通信装置は、表示制御手段により、当該無線タグデータの内容を表示手段に表示できる。つまり、当該通信装置は、受信側ユーザに無線タグデータの内容を把握させることができる。これにより、受信側ユーザは、無線タグデータの内容を吟味した上で、無線タグへの書込の可否を決定することができ、適切な対応を図ることができる。
【００３６】
請求項１３記載の通信装置によれば、表示設定手段により第１詳細設定が設定されている場合に、原稿の画像データと共に、当該画像データに対応する無線タグデータを受信すると、受信した無線タグデータの内容と共に、当該画像データが表示手段に表示される。つまり、ユーザは、当該画像データと当該無線タグデータの対応関係を明確に把握できる。これにより、当該通信装置は、画像データの出力の可否と、無線タグデータの出力の可否を総合的に判断する機会をユーザに提供しうる。
【００３７】
請求項１４記載の通信装置によれば、表示設定手段により第１詳細設定が設定されている場合に、原稿の画像データと共に、当該画像データに対応する無線タグデータを受信すると、合成画像データ生成手段により、原稿の画像データに対する所定位置に、無線タグ内容データを配置した合成画像データを生成することができる。即ち、当該通信装置によれば、無線タグデータを無線タグに書き込まずに、合成画像データの一部をなす無線タグ内容データとする。これにより、無線タグデータの内容についても、原稿の画像データと同様に扱うことができ、通常の記録紙に印刷して、その内容を確認したり、管理したるすることができる。その結果、無線タグの消費を低減できる。
【００３８】
請求項１５記載の通信装置によれば、合成画像データが生成された場合、表示制御手段により、当該合成画像データが表示手段に表示される。即ち、当該通信装置によれば、表示手段による合成画像データの表示を確認することができるので、ユーザは、より適切に合成画像データとしての出力の要否を判断しうる。
【００３９】
請求項１６記載の通信装置によれば、表示制御手段により、画像データ及び無線タグデータを表示手段に表示した後、出力態様選択手段によって、送信元から受信したデータの出力態様を第１出力態様、第２出力態様、第３出力態様から選択することができる。これにより、当該通信装置は、ユーザに無線タグデータの内容を確認する機会を与えると共に、ユーザ所望の出力態様に基づくデータ出力を可能とする。
【発明を実施するための最良の形態】
【００４０】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。
図１に示すように、ファクシミリ装置１は、自動原稿送り装置２と、スキャナ部３と、プリンタ部４と、給紙トレイ部５とを有する。
【００４１】
自動原稿送り装置２は、原稿載置部２Ａを備えている。ファクシミリ送信される原稿はこの原稿載置部２Ａに原稿面を下向きにして載置される。そして、ユーザによりスタートキー（図示せず）が押下されると、その原稿は１ページずつ送られ、スキャナ部３による画像データの読み取りが行われる。スキャナ部３による読取後、当該原稿は、原稿排出口（図示せず）から排出される。
【００４２】
スキャナ部３は、無線タグリーダ１５と、スキャナ装置２２とを備えている。無線タグリーダ１５は、自動原稿送り装置２により送られてきた原稿に無線タグが付加されていた場合、無線によりその無線タグからデータを読み出す。また、スキャナ装置２２は、無線タグの有無に関わらず、自動原稿送り装置２により送られる原稿の画像データを読み取る。
【００４３】
プリンタ部４は、無線タグライタ１６と、レーザプリンタ３０とを有する。無線タグライタ１６は、給紙トレイ部５から給紙される記録用紙に付加された無線タグに対し、無線によりデータ（後述する無線タグデータ等）を書き込む。
【００４４】
レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。レーザプリンタ３０は、本発明に係る記録手段の一例である。
【００４５】
給紙トレイ部５は、第１給紙トレイ５１、第２給紙トレイ５２、第３給紙トレイ５３を備えている。そして、第１給紙トレイ５１〜第３給紙トレイ５３には、夫々、検出センサ５４が配設されている。この検出センサ５４は、第１給紙トレイ５１〜第３給紙トレイ５３の夫々に収納された記録用紙における無線タグの有無や当該無線タグの書き込み可能容量を検出する。尚、この検出センサ５４は、積層された記録用紙の１枚に付加された無線タグの書き込み可能容量を検出する。
【００４６】
次に、本実施形態に係るファクシミリ装置１の制御系構成について、図面を参照しつつ詳細に説明する。図２は、ファクシミリ装置１の制御系構成を示すブロック図である。
ファクシミリ装置１には、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００４７】
尚、ＣＰＵ１１、ＲＯＭ１２、ＲＡＭ１３、フラッシュメモリ１４は、後述する各種制御プログラムを実行することにより、本発明における設定手段、表示制御手段、合成画像データ生成手段、識別データ取得手段、出力態様選択手段、個別設定手段、応答内容変更手段、設定状態判定手段、制御手段、表示設定手段として機能する。
【００４８】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。ＲＯＭ１２は、このファクシミリ装置１で実行される制御プログラムを格納した書換不能なメモリである。当該ＲＯＭ１２には、後述するメイン制御プログラム（図６参照）ファックス受信処理プログラム（図８参照）、受信データ表示処理プログラム（図１０参照）等の各種制御プログラムが格納されている。
【００４９】
ＲＡＭ１３は、ファクシミリ装置１の各動作の実行時に、各種のデータを一時的に記憶するためのメモリである。当該ＲＡＭ１３は、送信ファクシミリデータ記憶エリア１３１、送信無線タグデータサイズ記憶エリア１３２、無線タグデータ送信可能フラグ１３３、受信ファクシミリデータ記憶エリア１３４、サイズ情報記憶エリア１３５、受信無線タグデータサイズ記憶エリア１３６を備えている。
【００５０】
送信ファクシミリデータ記憶エリア１３１は、スキャナ装置２２により読み取られた原稿の画像データ及び無線タグリーダ１５で読み取られた無線タグデータにより構成されるファクシミリデータ６３が格納される記憶エリアである。尚、ファクシミリデータ６３の構成については、後に図面を参照しつつ詳細に説明する。
【００５１】
送信無線タグデータサイズ記憶エリア１３２は、無線タグリーダ１５によって読み取られた無線タグデータのデータサイズを、各ページ単位に格納する記憶エリアである。
【００５２】
無線タグデータ送信可能フラグ１３３は、ファクシミリ送信の送信元装置６０（図４参照）が、無線タグへデータを書き込む機能を有しているか否かを示すフラグである。受信ファクシミリデータ記憶エリア１３４は、受信したファクシミリデータ６３が一時的に格納される記憶エリアである。
【００５３】
サイズ情報記憶エリア１３５は、送信元ファクシミリ装置から通知されたサイズ情報を記憶するエリアである。ここで、送信元ファクシミリ装置から通知されるサイズ情報は、ファクシミリデータ６３に無線タグデータが含まれないことを示すサイズ情報（サイズ情報「０」として通知される）と、ファクシミリデータ６３に含まれる無線タグデータのデータサイズを示すサイズ情報とが存在する。
【００５４】
受信無線タグデータサイズ記憶エリア１３６は、ファクシミリデータ６３の送信元ファクシミリ装置から受信した、各ページ単位の無線タグデータのデータサイズを格納する記憶エリアである。
【００５５】
フラッシュメモリ１４は、書換可能な不揮発性のメモリである。そして、フラッシュメモリ１４には、送信データ保存メモリ１４１、電話帳データ記憶エリア１４２、受信データ記憶エリア１４３が形成されている。送信データ保存メモリ１４１には、ファクシミリ送信の相手先へのファクシミリデータの送信が禁止された場合に、スキャナ装置２２により読み取られた画像データが格納される。
【００５６】
そして、電話帳データ記憶エリア１４２は、相手先（例えば、送信元装置６０）を識別可能な相手先識別データ（即ち、電話番号やファクシミリ番号等）が記憶される記憶エリアである。この電話帳データ記憶エリア１４２には、各相手先識別データ単位で、相手先氏名及び無線タグデータ受信設定が関連付けられる（図３参照）。この電話帳データ記憶エリア１４２は、本発明に係る識別データ記憶手段に相当する。
【００５７】
ここで、無線タグデータ受信設定は、送信元装置６０から「ＮＳＦ信号」を要求された場合に、どのような信号を送信するかの設定である。図３に示すように、無線タグデータ受信設定には、「受信許可設定」、「受信禁止設定」の２種類が存在する。ファクシミリ装置１においては、無線タグデータ受信設定を、後述する「その他の処理（Ｓ５）」により、各相手先識別データ単位で設定・変更することができる。尚、「受信許可設定」、「受信禁止設定」に基づく制御内容については、後に詳細に説明する。
【００５８】
そして、受信データ記憶エリア１４３は、後述する「メモリ保存モード」が設定されている場合に、送信元装置６０からの受信データを格納する記憶エリアである。この点、受信データ記憶エリア１４３は、データ内容が自動的に消去され得る受信ファクシミリデータ記憶エリア１３４とは異なり、原則的に記憶内容が保持される。この受信データ記憶エリア１４３は、本発明における記憶手段に相当する。
【００５９】
図２に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、検出センサ５４、操作パネル１７、ＬＣＤ１８、アンプ２７を備えている。尚、これらの周辺装置も、バスライン２５を介して相互に接続されている。
【００６０】
無線タグリーダ１５は、上述したように、原稿の無線タグに格納されている無線タグデータを読み出す装置である。そして、無線タグライタ１６は、無線タグに対して、無線タグデータを書き込む装置であり、本発明に係る無線タグデータ書込手段に相当する。
【００６１】
そして、モデム２０は、ファクシミリデータ６３を変調・復調して伝送すると共に伝送制御用の各種手順信号を送受信する装置である。バッファ２１は、相手側ファクシミリ装置との間で送受信される符号化されたファクシミリデータを含むデータを一時的に格納する記憶手段である。即ち、ＮＣＵ１９、モデム２０、バッファ２１は、本発明における画像データ受信手段、無線タグデータ受信手段に相当する。
【００６２】
スキャナ装置２２は、上述したように、自動原稿送り装置２の一部を構成し、原稿載置部２Ａからページ単位で送られる原稿を読み取り、ページ単位の画像データを生成する。
【００６３】
符号化部２３は、ファクシミリデータ６３の送信に際し、ファクシミリデータ６３を符号化する部分である。そして、復号化部２４は、バッファ２１に記憶された受信データを読み出し、これを復号化する部分である。
【００６４】
レーザプリンタ３０は、上述したように、第１給紙トレイ５１〜第３給紙トレイ５３に格納された記録紙に対して、復号化部２４で復号化された画像データを印字する装置である。即ち、レーザプリンタ３０は、本発明における記録手段を構成する。
そして、検出センサ５４は、第１給紙トレイ５１〜第３給紙トレイ５３に配設されており、各給紙トレイに格納された記録紙における無線タグの有無を検出するセンサである。
【００６５】
操作パネル１７は、複数の数字キー及び上述したスタートキー等の複数のキーで構成された操作部である。操作パネル１７を構成する各キーの操作が行われると、入力信号がＣＰＵ１１に送信され、入力信号に基づく制御が行われる。例えば、当該操作パネル１７は、後述するその他の処理（Ｓ６）において、各種設定を行う場合や受信データ表示処理（Ｓ４）において、受信データの表示態様を選択する際に用いられる。
【００６６】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８には、
各種設定を行う際に各設定項目を示す設定メニュー表示（例えば、図７参照）や、受信データ表示処理（Ｓ４）における受信データの画像表示が表示される。このＬＣＤ１８は、本発明に係る表示手段に相当する。又、アンプ２７には、スピーカ２８が接続され、呼出音などをこのスピーカ２８から出力する。
【００６７】
更に、ファクシミリ装置１は、ＮＣＵ１９、電話回線４１を介して、交換機２９に接続されている。この交換機２９は、電話回線４２を介して、送信元装置側の交換機に接続され、更に電話回線を介して送信元装置に接続されている。従って、ファクシミリ装置１は、電話回線４１、交換機２９、電話回線４２等を介して、送信元装置とのファクシミリデータ６３の受信を行うことができる。
【００６８】
次に、本実施形態に係るファクシミリ装置１におけるファクシミリデータ６３の送受信の概要について、図面を参照しつつ詳細に説明する。図４（ａ）は、ファクシミリ装置１と送信元装置６０との間で行われるファクシミリ送受信に関する説明図である。
尚、この図４（ａ）に示す送信元装置６０は、上述したファクシミリ装置１と同一の構成を有している。
【００６９】
図４（ａ）に示すように、送信元装置６０側のユーザ（以下、送信元ユーザいう）がファクシミリ送信しようとする原稿（以下、送信原稿６１という）には、画像（図形、文字を含む）が形成されており、無線タグデータを格納可能な無線タグ６２が埋め込まれている。
そして、送信元ユーザが送信原稿６１を原稿載置部２Ａにセットし、操作パネル１７のスタートキー（図示せず）を操作すると、原稿載置部２Ａにセットされた送信原稿は、１ページずつ、スキャナ部３の読取位置に送られる。
【００７０】
ここで、スキャナ装置２２に対し相対移動する送信原稿６１の移動経路には、無線タグリーダ１５によるデータ読出位置が設けられている。従って、自動原稿送り装置２により、送信原稿６１がスキャナ装置２２の読取位置で移動する過程で、無線タグリーダ１５は、当該送信原稿６１に付加された無線タグ６２の無線タグデータを読み出す。
この結果、当該送信元装置６０は、スキャナ装置２２による画像データの読取とほぼ同時に、無線タグリーダ１５による無線タグデータの読取を行うことができる。つまり、ユーザは、送信原稿６１を原稿載置部２Ａに載置し、スタートキーを操作する間便な作業を行うだけで、画像データ及び無線タグデータを、送信元装置６０に読み取らせることができる。
【００７１】
次に、スキャナ装置２２、無線タグリーダ１５により読み取られ、ファクシミリ装置１に送信される１ページ分の送信原稿６１に係るファクシミリデータ６３の構成について、図面を参照しつつ詳細に説明する。図４（ｂ）は、１ページ分の送信原稿６１に係るファクシミリデータ６３のデータ構成を示す説明図である。
【００７２】
上述したように、ファクシミリデータ６３は、１ページ単位の送信原稿６１に基づく画像データと、当該送信原稿６１（この場合、或る１ページ分を指す）の無線タグ６２から読み出された無線タグデータにより構成されている。即ち、ファクシミリデータ６３は、スキャナ装置２２で読み取られた画像データと、無線タグリーダ１５で読み出された無線タグデータとがページ単位で対応付けられて構成されている。
【００７３】
このように構成されたファクシミリデータ６３を送信元装置６０からファクシミリ装置１に送信すると、当該ファクシミリ装置１は、ファクシミリデータ６３に含まれる画像データに基づいて、記録用紙７１（図４（ａ）参照）に画像を形成することができる。
尚、ファクシミリ装置１は、当該ファクシミリデータ６３に含まれる無線タグデータを、記録用紙７１に付加された無線タグ７２に書き込むことも可能である。
【００７４】
図４（ｂ）に示すように、１ページ分のファクシミリデータ６３は、画像データに先んじて、無線タグデータが送信されるように構成されている。従って、無線タグデータのサイズを特定することができれば、受信したデータを無線タグデータと画像データに容易に区分することができる。
【００７５】
尚、当該送信元装置６０は、上述したファクシミリデータ６３をファクシミリ装置１に送信する場合、先ず、無線タグデータのサイズ６４に関するサイズ情報をファクシミリ装置１に送信する。そうすると、ファクシミリ装置１は、受信したサイズ情報に基づいて、当該サイズ情報に対応する受信データの先頭から所定サイズのデータを、無線タグデータとして特定することができ、画像データと無線タグデータを確実に区分することができる。
【００７６】
次に、本実施形態に係る無線タグ、無線タグリーダ１５、無線タグライタ１６の構成について、図面を参照しつつ詳細に説明する。
先ず、無線タグ（無線タグ６２、無線タグ７２）の構成について説明する。この点、無線タグ６２と無線タグ７２は、同一の構成であるので、無線タグ６２の構成を詳細に説明し、無線タグ７２に関する説明は省略する。
【００７７】
図５（ａ）に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７を備えている。
アンテナ用コイル６２１は、共振コンデンサ６２２と並列に接続されて共振回路を構成し、無線タグリーダ１５又は無線タグライタ１６から送信される所定の高周波数の電力用電波振動を受信して、当該電力用電波信号を整流・平滑回路６２３に供給する。
【００７８】
整流・平滑回路６２３は、動力用電源回路を構成する回路である。そして、整流・平滑回路６２３は、共振回路から送信されてきた電力用電波信号を整流・平滑化して一定電圧の直流電力にしてＣＰＵ６２５等に供給する。
【００７９】
尚、無線タグリーダ１５又は無線タグライタ１６からの送信信号は、電力用電波信号に重畳して送信される。そして、当該送信信号は、変復調回路６２４により復調され、ＣＰＵ６２５に与えられる。
【００８０】
ＣＰＵ６２５は、ＲＯＭ６２６に記憶された動作プログラムに従って動作し、変復調回路６２４からの信号に応じた所定の処理を実行する。即ち、ＣＰＵ６２５は、受信したデータを無線タグデータとしてＥＥＰＲＯＭ６２７に書き込む書込処理や、ＥＥＰＲＯＭ６２７から無線タグデータを読み出し、変復調回路６２４により変調した後、アンテナ用コイル６２１により電波信号として送信する読出処理等を実行する。
【００８１】
尚、当該無線タグ６２において、整流・平滑回路６２３、変復調回路６２４、ＣＰＵ６２５、ＲＯＭ６２６、ＥＥＰＲＯＭ６２７は、ＩＣチップとされ、アンテナ用コイル６２１、共振コンデンサ６２２と共に送信原稿６１に埋め込まれている。この点、無線タグ６２と同一の構成である無線タグ７２についても、同様に、記録用紙７１に埋め込まれている。
【００８２】
次に、本実施形態に係る無線タグリーダ１５、無線タグライタ１６の構成について、図面を参照しつつ詳細に説明する。図５（ｂ）は、無線タグリーダ１５、無線タグライタ１６の構成を示すブロック図である。
【００８３】
図５（ｂ）に示すように、無線タグリーダ１５は、受信アンテナ用コイル１５１と、受信部１５２を備えて構成されている。従って、無線タグリーダ１５は、無線タグ６２から送信された電波信号を受信アンテナ用コイル１５１で受信できる。そして、無線タグリーダ１５は、受信アンテナ用コイル１５１で受信した電波信号を受信部１５２で復調することで、無線タグデータとして弁別する。これにより、無線タグリーダ１５は、無線タグ６２から無線タグデータを読み出すことができる。
【００８４】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信することができる。更に、無線タグライタ１６は、送信すべき無線タグデータを電力用電波信号に重畳するように送信部１６２で変調して送信アンテナ用コイル１６１から送信できる。これにより、無線タグライタ１６は、無線タグ７２に無線タグデータを書き込むことができる。
【００８５】
次に、本実施形態に係るファクシミリ装置１のメイン制御プログラムについて、図面を参照しつつ詳細に説明する。図６は、メイン制御プログラムのフローチャートである。このメイン制御プログラムに基づく処理は、ファクシミリ装置１の起動中において、繰り返し実行される。
図６に示すように、ＣＰＵ１１は、先ず、Ｓ１において、ファクシミリデータ６３を受信したか否かを判断する。ファクシミリデータ６３を受信した場合（Ｓ１：ＹＥＳ）、ＣＰＵ１１は、ファックス受信処理（Ｓ２）に処理を移行する。一方、ファクシミリデータ６３を受信していない場合（Ｓ１：ＮＯ）、ＣＰＵ１１は、Ｓ３に処理を移行する。
【００８６】
ファックス受信処理（Ｓ２）に移行すると、ＣＰＵ１１は、後述するファックス受信処理プログラム（図８参照）を実行する。このファックス受信処理（Ｓ２）においては、ＣＰＵ１１は、受信したファクシミリデータ６３（以下、受信データともいう）の記録用紙７１への記録、無線タグ７２への書込、受信データ記憶エリア１４３への受信データの保存等を行う。ファックス受信処理（Ｓ２）終了後、ＣＰＵ１１は、Ｓ１に処理を戻す。
尚、このファックス受信処理（Ｓ２）の詳細については、後に図面を参照しつつ詳細に説明する。
【００８７】
Ｓ３においては、ＣＰＵ１１は、操作パネル１７に対する操作により、表示操作が行われたか否かを判断する。具体的には、ＣＰＵ１１は、操作パネルからの操作信号に基づいて、Ｓ３の判断を行う。ここで、表示操作とは、受信データ記憶エリア１４３に格納されている受信データをＬＣＤ１８に表示させる操作をいう。表示操作が行われた場合（Ｓ３：ＹＥＳ）、ＣＰＵ１１は、受信データ表示処理（Ｓ４）に処理を移行する。一方、表示操作が行われなかった場合（Ｓ３：ＮＯ）、ＣＰＵ１１は、その他の処理（Ｓ５）に処理を移行する。
【００８８】
受信データ表示処理（Ｓ４）に移行すると、ＣＰＵ１１は、後述する受信データ表示処理プログラム（図１０参照）を実行する。受信データ表示処理（Ｓ４）では、ＣＰＵ１１は、受信データ記憶エリア１４３に格納されている受信データを、各受信データの内容及びユーザによる選択に応じて、ＬＣＤ１８に表示する。この時、ＣＰＵ１１は、レーザプリンタ３０を介した記録用紙７１への受信データの記録や無線タグライタ１６を介した受信データの無線タグ７２への書込を行うことも可能である。受信データ表示処理（Ｓ４）を終了すると、ＣＰＵ１１は、Ｓ１に処理を戻す。尚、この受信データ表示処理（Ｓ４）の詳細については、後に図面を参照しつつ説明する。
【００８９】
その他の処理（Ｓ５）に移行すると、ＣＰＵ１１は、上述したファックス受信処理（Ｓ３）、受信データ表示処理（Ｓ４）を除く、ファクシミリ装置１で可能な処理を行う。例えば、本実施形態では、当該その他の処理には、送信原稿６１に基づくファクシミリ送信処理や、ファクシミリ装置１における各種設定を設定、変更しうる設定処理等が含まれる。その他の処理（Ｓ５）を終了すると、ＣＰＵ１１は、Ｓ１に処理を戻す。
【００９０】
この点、その他の処理（Ｓ５）の設定処理において、「無線タグ節約モード」の有効・無効を設定することができる。ここで、「無線タグ節約モード」とは、送信元装置６０からの受信データの取扱い態様を規定するものであり、無線タグ７２が付加された記録用紙７１の浪費を防止するモードである。そして、この「無線タグ節約モード」には、「送信元確認モード」と、「メモリ保存モード」という２種類の詳細設定が規定されている。
【００９１】
「送信元確認モード」とは、電話帳データ記憶エリア１４２の相手先識別データと、当該送信元装置６０の相手先識別データを比較し、当該相手先からの「無線タグデータの受信の要否」を決定するモードである。具体的には、相手先識別データ毎に設定可能な「無線タグデータ受信設定」の設定内容（即ち、「受信許可設定」「受信禁止設定」）に基づいて、相手先からの「無線タグデータの受信の要否」を決定する。
【００９２】
「メモリ保存モード」とは、受信データを受信データ記憶エリア１４３に保存するモードである。この「メモリ保存モード」の場合、無線タグデータを含むファクシミリデータ６３を受信した場合であっても、ＣＰＵ１１は、無線タグ７２に対する書込を行うことなく、当該ファクシミリデータ６３を受信データ記憶エリア１４３に保存する。尚、ユーザは、受信データ表示処理（Ｓ４）により、受信データ記憶エリア１４３に保存したファクシミリデータ６３の内容を後に確認することができる。
【００９３】
従って、その他の処理（Ｓ５）において、設定処理を実行すると、ＬＣＤ１８には、図７に示す設定メニュー画面が表示される（図７（ａ）参照）。このＬＣＤ１８の表示に従って、操作パネル１７を操作することで、ユーザは、「無線タグ節約モードの有効・無効（ＯＮ・ＯＦＦ）」、更に、「送信元確認モード」「メモリ保存モード」の選択設定を行うことができる（図７（ｂ）参照）。
【００９４】
又、当該その他の処理（Ｓ５）では、電話帳データ記憶エリア１４２の記憶内容の登録、更新を行うことができる。この時、ユーザは、ＬＣＤ１８の表示及び操作パネル１７の操作により、相手先識別データに対する「無線タグデータ受信設定」の設定及び変更を行うことができる。即ち、相手先識別データ毎に、「受信許可設定」或いは「受信禁止設定」の設定を行うことができる。
【００９５】
次に、本実施形態に係るファクシミリ装置１のファックス受信処理プログラムについて、図面を参照しつつ詳細に説明する。図８は、ファックス受信処理プログラムのフロ−チャートである。
ファックス受信処理（Ｓ２）に移行すると、ＣＰＵ１１は、先ず、ファックス受信前処理（Ｓ１１）を実行する。このファックス受信前処理（Ｓ１１）では、ファクシミリ通信に必要な信号の送受信に関する処理であり、ファクシミリ装置１では、特に、「ＮＳＦ信号」の内容に関する処理が行われる。
ここで、「ＮＳＦ信号」とは、当該ファクシミリ装置１が有する機能（例えば、無線タグ記録能力の有無、ＥＣＭ機能の有無等）を示す信号である。
【００９６】
具体的には、ＣＰＵ１１は、ファクシミリ装置１の「無線タグ節約モード」の有効・無効、更に、「メモリ保存モード」「相手先確認モード」の設定状況に応じて、当該ファクシミリ装置１が無線タグ記録能力を有する旨を含む「ＮＳＦ信号」又は、無線タグ記録能力を有さない旨を含む「ＮＳＦ信号」を送信すべく、「ＮＳＦ信号」の内容を選択決定する。即ち、「ＮＳＦ信号」は、本発明における「受信機能不存在信号」に相当する。
尚、このファックス受信前処理（Ｓ１１）については、後に図面を参照しつつ詳細に説明する。
【００９７】
ファックス受信前処理（Ｓ１１）終了後、ＣＰＵ１１は、送信元装置６０からの「ＮＳＦ信号」の要求に応じて、ファックス受信前処理（Ｓ１）で設定された内容に基づく「ＮＳＦ信号」を当該送信元装置６０に対して送信する（Ｓ１２）。
【００９８】
ここで、「ＮＳＳ信号」は、送信側装置から受信側装置へ送出されるファクシミリ制御信号であって、送信側装置が有している非標準機能に関する設定を、相手先装置へ通知するための信号である。そして、本実施形態に係る「ＮＳＳ信号」は、ファクシミリデータ６３に含まれる無線タグデータのサイズ６４を示すサイズ情報を含んでいる。
【００９９】
その後、ＣＰＵ１１は、送信元装置６０からの「ＮＳＳ信号」を受信するまで、処理を待機する。送信元装置６０から「ＮＳＳ信号」を受信すると、ＣＰＵ１１は、「ＮＳＳ信号」に含まれるサイズ情報を取得し、サイズ情報記憶エリア１３５（図２参照）に格納する（Ｓ１３）。
【０１００】
Ｓ１４に移行すると、ＣＰＵ１１は、受信したサイズ情報に基づいて、送信元装置６０から送信されるファクシミリデータ６３に無線タグデータが含まれているか否かを判断する。即ち、ＣＰＵ１１は、サイズ情報が「０」であるか否かに基づいて、Ｓ１４の判断を行う。サイズ情報が「０」ではない場合（Ｓ１４：ＹＥＳ）、ＣＰＵ１１は、無線タグデータ受信処理（Ｓ１５）に処理を移行し、無線タグデータの受信を行う。一方、サイズ情報が「０」である場合（Ｓ１４：ＮＯ）、ＣＰＵ１１は、画像データ受信処理（Ｓ１７）に移行し、ファクシミリデータ６３を構成する画像データの受信を行う。
【０１０１】
無線タグデータ受信処理（Ｓ１５）においては、ＣＰＵ１１は、サイズ情報が示す所定サイズ分のファクシミリデータ６３を受信するまで（Ｓ１６：ＹＥＳ）、受信データを「無線タグデータ」として受信して、受信ファクシミリデータ記憶エリア１３４に格納する。所定サイズ分の受信データを受信すると（即ち、無線タグデータの受信を終了すると）、ＣＰＵ１１は、Ｓ１７に処理を移行する。
【０１０２】
Ｓ１７では、ＣＰＵ１１は、画像データ受信処理を実行する。画像データ受信処理（Ｓ１０９）では、ＣＰＵ１１は、受信データとして画像データを受信しつつ、受信ファクシミリデータ記憶エリア１３４に格納する。そして、１ページ分の画像データを受信するまで（Ｓ１８：ＹＥＳ）、ＣＰＵ１１は、画像データの受信を行う。画像データの受信を完了すると、ＣＰＵ１１は、Ｓ１９に処理を移行する。
【０１０３】
尚、本実施形態においては、受信データの受信を行いつつ、サイズ情報に基づいて、無線タグデータと、画像データの区分を行っているが、この態様に限定するものではない。即ち、受信データを全て受信した後、サイズ情報に従って、無線タグデータと、画像データを区分するように構成することも可能である。
【０１０４】
Ｓ１９に移行すると、ＣＰＵ１１は、全ページ分のファクシミリデータ６３の受信を完了したか否かを判断する。全ページ分のファクシミリデータ６３を受信した場合（Ｓ１９：ＹＥＳ）、ＣＰＵ１１は、受信データの受信を終了すると共に、Ｓ２０に処理を移行する。一方、未だ全ページ分の受信データの受信を完了していない場合（Ｓ１９：ＮＯ）、ＣＰＵ１１は、Ｓ１４に処理を戻し、次のページに係るファクシミリデータ６３の受信を継続する。
【０１０５】
Ｓ２０に移行すると、ＣＰＵ１１は、ファクシミリ装置１の設定状況を確認し、「メモリ保存モード」が有効に設定されているか否かを判断する。即ち、ＣＰＵ１１は、「無線タグ節約モード」が有効であり、且つ、「メモリ保存モード」が有効であるか否かを判断する。「メモリ保存モード」が有効に設定されている場合（Ｓ２０：ＹＥＳ）、ＣＰＵ１１は、メモリ保存処理（Ｓ２５）に処理を移行する。一方、「メモリ保存モード」が設定されていない場合（Ｓ２０：ＮＯ）、ＣＰＵ１１は、Ｓ２１に処理を移行する。
【０１０６】
Ｓ２１に移行すると、ＣＰＵ１１は、先ず、受信ファクシミリデータ記憶エリア１３４を参照し、無線タグデータの受信があったか否かを判断する（Ｓ２１）。無線タグデータを受信した場合（Ｓ２１：ＹＥＳ）、ＣＰＵ１１は、無線タグ書込処理（Ｓ２２）に処理を移行する。一方、無線タグデータを受信していない場合（Ｓ２１：ＮＯ）、ＣＰＵ１１は、画像データ記録処理（Ｓ２３）に処理を移行する。
【０１０７】
無線タグ書込処理（Ｓ２２）では、ＣＰＵ１１は、無線タグライタ１６により、受信ファクシミリデータ記憶エリア１３４に格納されている無線タグデータを、記録用紙７１に付加されている無線タグ７２に書き込む。無線タグ７２に無線タグデータを書き込んだ後、ＣＰＵ１１は、Ｓ２３に処理を移行する。尚、この無線タグ書込処理（Ｓ２２）は、１ページ分の送信原稿６１単位で実行される。
【０１０８】
画像データ記録処理（Ｓ２３）に移行すると、ＣＰＵ１１は、レーザプリンタ３０により、受信ファクシミリデータ記憶エリア１３４に格納されている画像データを記録用紙７１に記録する。記録用紙７１に画像データに基づく画像を記録した後、ＣＰＵ１１は、Ｓ２４に処理を移行する。この点、当該画像データ記録処理（Ｓ２３）についても、１ページ分の送信原稿６１単位で実行される。
従って、ファクシミリデータ６３を構成していた無線タグデータの部分は、一枚の記録用紙７１に付加されている無線タグに書き込まれ、画像データの部分は記録用紙７１に記録される。
【０１０９】
記録用紙７１に１ページ分の画像データを記録した後、Ｓ２４に移行すると、ＣＰＵ１１は、全ページ分の受信データの記録を完了したか否かを判断する。全ページ分の受信データを記録した場合（Ｓ２４：ＹＥＳ）、ＣＰＵ１１は、ファクシミリ受信処理プログラムを終了する。一方、未だ全ページ分の受信データの記録を完了していない場合（Ｓ２４：ＮＯ）、ＣＰＵ１１は、Ｓ２１に処理を戻し、次のページに係る受信データの記録を開始する。
【０１１０】
一方、「メモリ保存モード」が有効に設定されている場合（Ｓ２０：ＹＥＳ）に移行するメモリ保存処理（Ｓ２５）では、ＣＰＵ１１は、受信ファクシミリデータ記憶エリア１３４に一時的に格納されている受信データ（画像データ、無線タグデータを含むファクシミリデータ）を、受信データ記憶エリア１４３に保存する。このメモリ保存処理（Ｓ２５）の場合、全ページ分の受信データに対する処理が行われ、全ページ分の受信データが受信データ記憶エリア１４３に保存される。受信データを受信データ記憶エリア１４３に保存した後、ＣＰＵ１１は、ファックス受信処理プログラムを終了する。
【０１１１】
次に、ファックス受信処理のＳ１１で実行されるファックス受信前処理プログラムについて、図面を参照しつつ詳細に説明する。図９は、ファックス受信前処理プログラムのフローチャートである。
ファックス受信前処理（Ｓ１１）に移行すると、ＣＰＵ１１は、先ず、当該ファクシミリ装置１の設定状況（図７（ａ）の受信設定に基づく）を参照し、「無線タグ節約モード」が有効であるか否かを判断する。「無線タグ節約モード」が有効である場合（Ｓ３１：ＹＥＳ）、ＣＰＵ１１は、Ｓ３２に処理を移行する。一方、「無線タグ節約モード」が有効に設定されていない場合（Ｓ３１：ＮＯ）、ＣＰＵ１１は、Ｓ３６に処理を移行する。
【０１１２】
Ｓ３２に移行すると、ＣＰＵ１１は、ファクシミリ装置１において「メモリ保存モード」が有効であるか否かを図７（ｂ）の受信設定に基づいて判断する。「メモリ保存モード」が有効である場合（Ｓ３２：ＹＥＳ）、ＣＰＵ１１は、Ｓ３６に処理を移行する。一方、「メモリ保存モード」が有効に設定されていない場合（Ｓ３２：ＮＯ）、ＣＰＵ１１は、Ｓ３３に処理を移行する。
【０１１３】
そして、Ｓ３３では、ＣＰＵ１１は、ファクシミリ装置１において、「送信元確認モード」が有効であるか否かを判断する。「送信元確認モード」が有効である場合（Ｓ３３：ＹＥＳ）、ＣＰＵ１１は、Ｓ３４に処理を移行する。一方、「送信元確認モード」が有効に設定されていない場合（Ｓ３３：ＮＯ）、ＣＰＵ１１は、Ｓ３７に処理を移行する。
【０１１４】
Ｓ３４に移行すると、「送信元確認モード」が有効に設定されているため（Ｓ３３：ＹＥＳ）、ＣＰＵ１１は、電話帳データ記憶エリア１４２を参照し、送信元装置６０の相手先識別データが存在するか否かを確認すると共に、当該送信元装置６０に係る相手先識別データにおける「無線タグデータ受信設定」を参照する。
尚、送信元装置６０の相手先識別データは、ファックス受信が開始される前の段階で送信元装置６０からの着信時に通知されるものであり、通知された相手先識別データを一旦ＲＡＭ１３の所定エリアに記憶しておく。
【０１１５】
続くＳ３５では、ＣＰＵ１１は、送信元装置６０に係る相手先識別データに対して、「無線タグデータ受信設定」が「受信許可」であるか否かを判断する。「無線タグデータ受信設定」が「受信許可」である場合（Ｓ３５：ＹＥＳ）、ＣＰＵ１１は、Ｓ３６に処理を移行する。一方、「無線タグデータ受信設定」が「受信禁止」である場合（Ｓ３５：ＮＯ）、ＣＰＵ１１は、Ｓ３７に処理を移行する。
又、通知された相手先識別データが電話帳データ記憶エリア１４２に存在しない場合については、事前に「受信許可設定」とするか、「受信禁止設定」とするかを設定しておき、その設定に従って処理を行うように構成されている。
【０１１６】
Ｓ３６に移行すると、ＣＰＵ１１は、Ｓ１２において送信元装置６０に送信する「ＮＳＦ信号」の内容として、「ファクシミリ装置１が無線タグ記録能力を有すること」を示す内容を設定する。「ＮＳＦ信号」に「ファクシミリ装置１が無線タグ記録能力を有すること」を示す内容を設定した後、ＣＰＵ１１は、ファックス受信前処理プログラムを終了する。これにより、Ｓ１２において、送信元装置６０には、ファクシミリ送信の送信相手先であるファクシミリ装置１に「無線タグ記録能力」があることが通知される。
【０１１７】
そうすると、送信元装置６０は、ファクシミリデータ６３を「無線タグデータ」と「画像データ」で構成して送信した場合でも、ファクシミリ装置１側において、「無線タグデータ」の取扱いによる不具合が生じることなく、当該ファクシミリデータ６３に係る情報の送信が可能であると判断する。従って、この場合には、送信元装置６０は、送信相手先であるファクシミリ装置１に「無線タグ記録能力があること」を前提として、ファクシミリデータ６３を送信する。つまり、この場合には、ファクシミリ装置１が受信するファクシミリデータ６３は、「無線タグデータ」と「画像データ」で構成されたデータ又は「画像データ」のみで構成されたデータとなる。
【０１１８】
一方、Ｓ３７に移行すると、ＣＰＵ１１は、Ｓ１２において送信元装置６０に送信する「ＮＳＦ信号」の内容として、「ファクシミリ装置１が無線タグ記録能力を有していないこと」を示す内容を設定する。「ＮＳＦ信号」に「ファクシミリ装置１が無線タグ記録能力を有していないこと」を示す内容を設定した後、ＣＰＵ１１は、ファックス受信前処理プログラムを終了する。これにより、Ｓ１２において、送信元装置６０には、ファクシミリ送信の送信相手先であるファクシミリ装置１に「無線タグ記録能力」がないことが通知される。
【０１１９】
そうすると、送信元装置６０は、ファクシミリデータ６３を「無線タグデータ」と「画像データ」で構成して送信した場合、ファクシミリ装置１側において、「無線タグデータ」の取扱いによる不具合が生じることが把握されるので、「無線タグデータ」を含むファクシミリデータ６３に係る情報の送信が不能であると判断する。従って、この場合には、送信元装置６０は、送信相手先であるファクシミリ装置１に「無線タグ記録能力がないこと」を前提として、ファクシミリデータ６３を送信する。つまり、この場合には、ファクシミリ装置１が受信するファクシミリデータ６３は、「画像データ」のみで構成されたデータとなる。
【０１２０】
無線タグデータ記録能力がないことを「ＮＳＦ信号」に設定することで（Ｓ３７）、ファクシミリ装置１には、「無線タグデータ」を含まないファクシミリデータ６３が送信される。これにより、ファクシミリ装置１は、受信データとして「無線タグデータ」を受信することはなく、当該無線タグデータを無線タグ７２に書き込むこともない。従って、ファクシミリ装置１は、高価な記録媒体である無線タグ７２の消費を低減しうる。
【０１２１】
次に、本実施形態に係るファクシミリ装置１の受信データ表示処理プログラムについて、図面を参照しつつ詳細に説明する。図１０は、受信データ表示処理プログラムのフロ−チャートである。
図６における受信データ表示処理（Ｓ４）に移行すると、ＣＰＵ１１は、先ず、受信データ記憶エリア１４３を参照し（Ｓ５１）、メモリ保存処理（Ｓ２５）により保存された受信データ（ファクシミリデータ６３）が存在するか否かを判断する（Ｓ５２）。受信データ記憶エリア１４３に受信データが存在する場合（Ｓ５２：ＹＥＳ）、ＣＰＵ１１は、Ｓ５３に処理を移行する。一方、受信データ記憶エリア１４３に受信データが存在しない場合（Ｓ５２：ＮＯ）、ＣＰＵ１１は、そのまま受信データ表示処理プログラムを終了する。
【０１２２】
Ｓ５３に移行すると、ＣＰＵ１１は、受信データ記憶エリア１４３に格納されている受信データの一覧をＬＣＤ１８に表示する（図１１参照）。即ち、ＣＰＵ１１は、受信データ記憶エリア１４３格納されている各受信データを参照し、各受信データを識別しうる態様（例えば、相手先識別データに基づく氏名、電話番号や、受信日時等の表示）でＬＣＤ１８に表示する。
【０１２３】
続くＳ５４においては、ＣＰＵ１１は、データ選択受付処理を実行する。このデータ選択受付処理（Ｓ５４）では、ＣＰＵ１１は、受信データ記憶エリア１４３に保存されている受信データの内、ＬＣＤ１８に表示する受信データの選択を受け付ける。この時、ＣＰＵ１１は、操作パネル１７の操作に基づいて、データ選択受付処理を実行する。
【０１２４】
ここで、データ選択受付処理（Ｓ５４）において、データ一覧表示画面（図１１参照）には、複数の選択肢が表示される。この選択肢には、表示態様を示す選択肢（即ち、「原稿表示」「無線タグデータ表示」「合成表示」の選択肢）が含まれている。
この点、操作パネル１７の操作により選択された受信データが「画像データ」と「無線タグデータ」を含む場合、「原稿表示」「無線タグデータ表示」「合成表示」の３種類の選択肢がデータ一覧表示画面に表示される（図１１（ａ）参照）。一方、選択された受信データが「画像データ」のみで構成されている場合は、無線タグデータが存在しない以上、「無線タグデータ表示」「合成表示」を行うことはできないため、「原稿表示」の選択肢がデータ一覧表示画面に表示される（図１１（ｂ）参照）。
このようにデータ一覧表示画面から選択される受信データの内容によって、表示のための選択肢（「原稿表示」「無線タグデータ表示」「合成表示」）は適宜変更される。
【０１２５】
Ｓ５５に移行すると、ＣＰＵ１１は、データ選択処理（Ｓ５４）において、ＬＣＤ１８に表示する受信データ（以下、表示対象データという）が選択され、当該選択が確定されたか否かを判断する。つまり、ＣＰＵ１１は、操作パネル１７の操作信号に基づいて、Ｓ５５の判断を行う。表示対象データの選択が確定している場合（Ｓ５５：ＹＥＳ）、ＣＰＵ１１は、Ｓ５６に処理を移行する。一方、表示対象データの選択が確定していない場合（Ｓ５５：ＮＯ）、ＣＰＵ１１は、Ｓ５４に処理を戻す。これにより、ユーザは、受信データ記憶エリア１４３に保存されている他の受信データを選択しうる。
【０１２６】
Ｓ５６に移行すると、ＣＰＵ１１は、表示対象データとして選択された受信データが、無線タグデータを含むか否かを判断する。具体的には、ＣＰＵ１１は、受信データ記憶エリア１４３に保存されている表示対象データである受信データの内容を参照することにより、Ｓ５６の判断を行う。表示対象データが無線タグデータを含む場合（Ｓ５６：ＹＥＳ）、ＣＰＵ１１は、Ｓ５７に処理を移行する。一方、表示対象データが無線タグデータを含まない場合（Ｓ５７：ＮＯ）、ＣＰＵ１１は、原稿表示処理（Ｓ６１）に処理を移行する。
【０１２７】
Ｓ５７に移行すると、ＣＰＵ１１は、操作パネル１７の操作により、選択肢「合成表示」が選択されたか否かを判断する。選択肢「合成表示」が選択された場合（Ｓ５７：ＹＥＳ）、ＣＰＵ１１は、合成表示処理（Ｓ５８）に処理を移行する。一方、選択肢「合成表示」が選択されなかった場合（Ｓ５７：ＮＯ）、ＣＰＵ１１は、Ｓ５９に処理を移行する。
【０１２８】
合成表示処理（Ｓ５８）に移行すると、ＣＰＵ１１は、表示対象データを構成する「画像データ」と「無線タグデータ」に基づく合成画像データを生成し、当該合成画像データをＬＣＤ１８に表示する（図１２（ｃ）参照）。即ち、合成表示処理（Ｓ５８）においては、ＣＰＵ１１は、表示対象データの「無線タグデータ」に基づいて、当該「無線タグデータ」の内容を示す無線タグ内容画像データを生成し、当該無線タグ内容画像データと表示対象データに係る「画像データ」から合成画像データを生成する。
【０１２９】
当該合成画像データを生成する際、ＣＰＵ１１は、画像データ、無線タグ内容画像データを所定位置（図１２（ｃ）参照）に配置して合成する。この画像データ及び無線タグ内容画像データの合成に係る処理については、既に公知の処理であるため、詳細な説明は省略する。そして、ＣＰＵ１１は、当該合成画像データをＬＣＤ１８に表示する。
尚、画像データに対する無線タグ内容画像データの合成位置は、図１２（ｃ）の例に限定されるものではなく、種々の態様を採用しうる。この点、上端や下端といった画像データの余白部分に相当する位置に、無線タグ内容画像データの合成位置を設定することが望ましい。
合成表示処理（Ｓ５８）を終了すると、ＣＰＵ１１は、受信データ表示処理プログラムを終了し、メイン制御プログラムに処理を戻す。
【０１３０】
尚、この合成表示処理（Ｓ５８）において、合成画像データを表示している場合には、ＬＣＤ１８には、選択肢「印刷」が表示されている（図１２（ｃ）参照）。操作パネル１７の操作により、選択肢「印刷」が選択されると、ＣＰＵ１１は、レーザプリンタ３０により、生成した合成画像データを記録用紙７１に記録する。この点、合成画像データを記録する記録用紙は、無線タグ７２が付加されている用紙である必要はない。つまり、無線タグ７２を使用することなく、無線タグデータの内容が反映された印刷結果を得ることができる。
【０１３１】
そして、Ｓ５９に移行すると、ＣＰＵ１１は、操作パネル１７の操作により、選択肢「無線タグデータ表示」が選択されたか否かを判断する。選択肢「無線タグデータ表示」が選択された場合（Ｓ５９：ＹＥＳ）、ＣＰＵ１１は、無線タグデータ表示処理（Ｓ６０）に処理を移行する。一方、選択肢「無線タグデータ表示」が選択されなかった場合（Ｓ５７：ＮＯ）、即ち、選択肢「原稿表示」が選択された場合には、ＣＰＵ１１は、原稿表示処理（Ｓ６１）に処理を移行する。
【０１３２】
選択肢「無線タグデータ表示」が選択され、無線タグデータ表示処理（Ｓ６０）に移行すると、ＣＰＵ１１は、表示対象データを構成する「無線タグデータ」に基づいて、当該「無線タグデータ」の内容を示す無線タグ内容画像データを生成し、当該無線タグ内容画像データをＬＣＤ１８に表示する（図１２（ｂ）参照）。この無線タグ内容画像データの生成に係る処理については、既に公知の処理であるため、詳細な説明は省略する。
無線タグデータ表示処理（Ｓ６０）を終了すると、ＣＰＵ１１は、受信データ表示処理プログラムを終了し、メイン制御プログラムに処理を戻す。
【０１３３】
尚、この無線タグデータ表示処理（Ｓ６０）においても、無線タグ内容画像データを表示している場合には、ＬＣＤ１８には、選択肢「印刷」が表示されている（図１２（ｂ）参照）。操作パネル１７の操作により、選択肢「印刷」が選択されると、ＣＰＵ１１は、レーザプリンタ３０により、生成した無線タグ内容画像データを記録用紙７１に記録する。この点、無線タグ内容画像データを記録する記録用紙は、無線タグ７２が付加されている用紙である必要はない。
【０１３４】
原稿表示処理（Ｓ６１）に移行すると、ＣＰＵ１１は、表示対象データの画像データをＬＣＤ１８に表示する（図１２（ａ）参照）。原稿表示処理（Ｓ６１）を終了すると、ＣＰＵ１１は、受信データ表示処理プログラムを終了し、メイン制御プログラムに処理を戻す。
【０１３５】
図１２（ａ）に示すように、原稿表示処理（Ｓ６１）においても、合成表示処理（Ｓ５８）、無線タグデータ表示処理（Ｓ６０）と同様に、ＬＣＤ１８には、選択肢「印刷」が表示されている（図１２（ａ）参照）。操作パネル１７の操作により、選択肢「印刷」が選択されると、ＣＰＵ１１は、レーザプリンタ３０により、表示対象データを構成する画像データを記録用紙７１に記録する。この点、当該画像データを記録する記録用紙は、無線タグが付加されている用紙である必要はない。
【０１３６】
そして、原稿表示処理（Ｓ６１）では、ＬＣＤ１８に選択肢「無線タグ付属印刷」が表示されている。操作パネル１７の操作により、この選択肢「無線タグ付属印刷」が選択されると、ＣＰＵ１１は、レーザプリンタ３０により、表示対象データを構成する画像データを記録用紙７１に記録する。記録用紙７１に対する画像データの記録と共に、ＣＰＵ１１は、無線タグライタ１６により、当該記録用紙７１に付加されている無線タグ７２に、表示対象データを構成する無線タグデータを書き込む。つまり、合成表示や無線タグデータ表示により、無線タグデータの内容を確認した上で、その内容を、やはり無線タグ７２に書き込むことが望ましいと判断されれば、「無線タグ付属印刷」を選択すれば良い。
【０１３７】
以上説明したように、本実施形態に係るファクシミリ装置１によれば、「無線タグ節約モード」の「有効」「無効」を設定可能である。そして、ファクシミリ装置１は、「無線タグ節約モード」を「有効」に設定すると、所定の場合（即ち、「相手先確認モード」が有効な場合において、「受信許可」が設定されている場合）を除き、受信データに係る無線タグデータを無線タグに書き込むことはない。即ち、当該ファクシミリ装置１は、必要以上に無線タグに無線タグデータを書き込むことはなく、比較的高価な記憶媒体である無線タグの浪費を防止することができる。
【０１３８】
又、ファクシミリ装置１によれば、受信データ表示処理（Ｓ４）において、無線タグデータの内容をＬＣＤ１８に表示することができる（Ｓ５８、Ｓ６０）。これにより、受信側ユーザは、無線タグデータの内容を把握し、無線タグデータの内容を吟味した上で、無線タグへの書込の可否を決定できるため、受信データに対して適切な対応を図ることができる。
【０１３９】
更に、ファクシミリ装置１においては、無線タグデータ、画像データを含む受信データを受信した場合に、受信データ表示処理（Ｓ４）において、「画像データ」の表示（Ｓ６１）、「無線タグ内容画像データ」の表示（Ｓ６０）、「合成画像データ」の表示（Ｓ５８）を適宜選択し、ＬＣＤ１８に表示しうる。これにより、受信側ユーザは、表示対象データの内容を所望の態様でＬＣＤ１８の表示により確認しうるので、受信データである表示対象データの取扱い（記録の要否及び記録態様の選択）を適切に行い得る。
【０１４０】
特に、「合成画像データ」をＬＣＤ１８に表示した場合、受信データを構成する画像データと、無線タグデータの内容が表示されるので、無線タグデータの内容を視覚により判断することができる。更に、ユーザは、画像データと当該無線タグデータの対応関係を明確に把握できる。これにより、当該ファクシミリ装置１は、画像データの出力の可否と、無線タグデータの出力の可否を総合的に判断する機会をユーザに提供しうる。
【０１４１】
又、ファクシミリ装置１は、受信データ表示処理（Ｓ４）において、「表示対象データに係る画像データのみを記録用紙７１に記録する態様（Ｓ６１）」、「合成画像データを記録用紙７１に記録する態様（Ｓ５８）」「表示対象データに係る画像データを記録用紙７１に記録し、無線タグデータを無線タグ７２に書き込む態様（Ｓ６１）」「無線タグ内容画像データを記録用紙７１に記録する態様（Ｓ６０）」の様々な態様で、表示対象データを記録しうる。ファクシミリ装置１は、ユーザに無線タグデータの内容を確認する機会を与えると共に、データ出力におけるユーザ所望の出力態様に柔軟に対応しうる。
【０１４２】
そして、ファクシミリ装置１によれば、「送信元確認モード」の有効、無効を設定することができる。この「送信元確認モード」が有効な場合、ファクシミリ装置１は、送信元装置６０に対して、ファクシミリ装置１が無線タグライタ１６を有している場合であっても、「無線タグ記録能力がない」という内容を含む「ＮＳＦ信号」を送信する（Ｓ１、Ｓ２）。これにより、送信元装置６０は、無線タグ記録能力がないことを前提に、ファクシミリ装置１に対するファクシミリ送信を行う。つまり、送信元装置６０から無線タグデータが送信されることはないので、ファクシミリ装置１は、無線タグデータを無線タグに書き込む必要も生じない。この結果、当該ファクシミリ装置１は、比較的高価な記憶媒体である無線タグの浪費を防止することができる。
【０１４３】
更に、ファクシミリ装置１は、「送信元確認モード」が有効である場合、電話帳データ記憶エリア１４２の相手先識別データ単位で、「受信許可」又は「受信禁止」を設定することができ、送信元装置６０に対する「ＮＳＦ信号」の内容を、当該電話帳データ記憶エリア１４２の内容と、受信時に把握可能な相手先識別データとに基づいて決定する。これにより、ユーザは、無線タグデータの受信について、送信元に応じた柔軟な受信態様を設定しうる。
【０１４４】
又、ファクシミリ装置１は、「メモリ保存モード」の有効、無効を設定することができる。「メモリ保存モード」が有効な場合、受信データは、受信データ記憶エリア１４３に保存される。これにより、ユーザは、無線タグデータの取扱いを後に判断することができ、無線タグデータの出力の要否を十分に検討することができる。
そして、受信データ記憶エリア１４３に保存された受信データは、受信データ表示処理（Ｓ４）において、ＬＣＤ１８への表示や記録用紙７１、無線タグ７２への記録を行うことができる。つまり、ファクシミリ装置１は、上記検討結果を十分に反映した出力を行うことができる。
【０１４５】
そして、ファクシミリ装置１によれば、「無線タグ節約モード」の有効・無効、「送信元確認モード」・「メモリ保存モード」の選択設定を行うことができるので、無線タグデータの取扱いをユーザ所望の態様に設定しうる。これにより、ファクシミリ装置１は、受信側ユーザの使用態様に柔軟に対応することができ、もって、受信側ユーザに対する利便性を向上させることができる。
【０１４６】
以上、実施形態に基づき本発明を説明したが、本発明は上述した実施形態に何ら限定されるものではなく、本発明の趣旨を逸脱しない範囲内で種々の改良変更が可能である。
例えば、無線タグデータを構成する各データに対して、ＬＣＤ１８への表示の可否を示す表示可否設定データを付加しておき、当該表示可否設定データに基づいて、無線タグ内容画像データの内容を決定するように構成することも可能である。
つまり、無線タグデータには、表示に適した内容と、そうではない内容とがあり得るため、表示に適してない内容を表示させないようにする為に、表示可能設定データに基づいて、無線タグ内容画像データの内容を「合成表示」或いは「無線タグデータ表示」において、「表示させる」又は「表示させない」を決定することが望ましい。
【０１４７】
即ち、無線タグ内容画像データは、無線タグデータを構成するデータであって、表示可否設定データにおいて「表示」が設定されているデータのみで構成される。従って、表示可否設定データにおいて、「表示」が設定されているデータのみで構成される無線タグデータの内容がＬＣＤ１８に表示される。
言い換えると、「非表示」の表示可否設定データが付加されたデータについては、無線タグデータの内容として、ＬＣＤ１８に表示されることはなく、無線タグデータの内容として、記録用紙７１に記録されることもない。従って、「非表示」の場合には、図１２における「無線タグデータ表示」、「合成表示」の選択肢も表示されない。
【０１４８】
そして、この表示可否設定データは、送信元装置６０側において、送信原稿６１の無線タグ６２として設定するように構成することもできる。又、ファクシミリ送信の受信側であるファクシミリ装置１の設定において、無線タグデータを構成するデータの種類ごとに、表示可否設定を行うように構成することも可能である。
又、無線タグ節約モードが選択された場合に、送信元確認モードは、必ずしも必要ではなく、無線タグ節約モードが選択されることに伴って、全ての送信元に対する「ＮＳＦ信号」において、「無線タグ記録能力：なし」を設定するように構成しても良い。
【図面の簡単な説明】
【０１４９】
【図１】本実施形態に係るファクシミリ装置の模式的な断面図である。
【図２】ファクシミリ装置の制御系構成を示すブロック図である。
【図３】電話帳データ記憶エリアの記憶内容に関する説明図である。
【図４】（ａ）は、本実施形態に係るファクシミリ装置によるファクシミリ送受信を模式的に示す図であり、（ｂ）は、１ページ分のファクシミリデータを模式的に示す図である。
【図５】（ａ）は、無線タグの構成を示すブロック図であり、（ｂ）は、無線タグリーダ及び無線タグライタの構成を示すブロック図である。
【図６】ファクシミリ装置に係るメイン制御処理プログラムのフローチャートである。
【図７】ＬＣＤにおける設定メニュー表示に関する説明図である。
【図８】ファックス受信処理プログラムのフローチャートである。
【図９】ファックス受信前処理プログラムのフローチャートである。
【図１０】受信データ表示処理プログラムのフローチャートである。
【図１１】ＬＣＤにおける受信データ一覧表示に関する説明図である。
【図１２】ＬＣＤにおける受信データの表示に関する説明図である。
【符号の説明】
【０１５０】
１    ファクシミリ装置
１１  ＣＰＵ
１２  ＲＯＭ
１３  ＲＡＭ
１４  フラッシュメモリ
１５  無線タグリーダ
１６  無線タグライタ
１７  操作パネル
１９  ＮＣＵ
２０  モデム
２１  バッファ
３０  レーザプリンタ
６０  送信元装置
６１  送信原稿
６２  無線タグ
７１  記録用紙
７２  無線タグ
【図１】
2008252412.tif 000003
【図２】
2008252412.tif 000004
【図３】
2008252412.tif 000005
【図４】
2008252412.tif 000006
【図５】
2008252412.tif 000007
【図６】
2008252412.tif 000008
【図７】
2008252412.tif 000009
【図８】
2008252412.tif 000010
【図９】
2008252412.tif 000011
【図１０】
2008252412.tif 000012
【図１１】
2008252412.tif 000013
【図１２】
2008252412.tif 000014